(57)【特許請求の範囲】
【請求項１】
無線端末の所持者の異常発生時の救護活動を支援する救護支援システムで利用される無線基地局であって、
無線端末からの信号に基づいて、前記無線端末の所持者が救護を要するか否かを判断する判断部と、
救護を要すると判断された場合には、前記無線端末の所持者の救護の要請を救護サービスセンタへ通知する通知部とを備えた、無線基地局。
【請求項２】
前記判断部は、前記無線端末から一定の規則に従って送信されるように定められている信号が前記規則に従って送信されてこない場合に、前記無線端末の所持者が救護を要すると判断する、請求項１記載の無線基地局。
【請求項３】
前記判断部は、前記無線端末から加速度センサの加速度の値が所定値以上であることを表わす信号を受信した場合に、前記無線端末の所持者が救護を要すると判断する、請求項１記載の無線基地局。
【請求項４】
前記判断部は、前記無線端末から前記無線端末の所持者のバイタルサインの値が所定の範囲外であることを表わす信号を受信した場合に、前記無線端末の所持者が救護を要すると判断する、請求項１記載の無線基地局。
【請求項５】
前記無線基地局は、さらに、
通信接続している無線端末の位置情報を取得する位置取得部と、
前記取得した位置情報に基づいて、前記救護を要すると判断した無線端末の周囲に位置する他の無線端末を検索する検索部とを備え、
前記通知部は、前記検索された他の無線端末を前記救護サービスセンタへ通知する、請求項１記載の無線基地局。
【請求項６】
前記無線基地局は、さらに、
前記救護サービスセンタからの指示に基づいて、救護を要すると判断した無線端末へ救護を要するか否かを問合せる問合部を備え、
前記通知部は、さらに、前記無線端末から救護を要求する旨の応答を受信したとき、または前記無線端末から所定時間内に応答を受信しない場合に、救護を要することを確認した旨を前記救護サービスセンタへ通知する、請求項１記載の無線基地局。
【請求項７】
無線端末と、無線基地局と、救護サービスセンタとを含み、前記無線端末の所持者の異常発生時の救護活動を支援する救護支援システムであって、
前記無線基地局は、
無線端末からの信号に基づいて、前記無線端末の所持者が救護を要するか否かを判断する判断部と、
救護を要すると判断された場合には、前記無線端末の所持者の救護の要請を救護サービスセンタへ通知する通知部とを備え、
前記救護サービスセンタは、
無線端末と、前記無線端末の所持者に関する緊急連絡先との対応を定めたテーブルを記憶する記憶部と、
無線基地局から無線端末の所持者の救護要請を受信した場合に、前記テーブルを参照して無線端末に対応する緊急連絡先を特定する救護管理部と、
前記特定された救急連絡先に救護の要請を通知する救護要請部とを備えた、救護支援システム。
【発明の詳細な説明】
【技術分野】
【０００１】
本発明は、救護支援システム、無線基地局、無線端末、および救護サービスセンタに関して、特に、老人や病人などの安否を把握し、危険な状況に陥った場合に迅速な救護を支援することのできる救護支援システム、およびそのようなシステムで利用される無線基地局、無線端末、および救護サービスセンタに関する。
【背景技術】
【０００２】
従来から、家庭内における急病の発生や事故などの異常を通報するシステムが提案されている。
【０００３】
たとえば、特許文献１には、在宅老人の急病発生、家庭用ガス漏れ発生、または火災発生時に宅内伝送装置および電話回線を介して自動的に管理センタへ緊急通報を行なうシステムが開示されている。
【０００４】
このようなシステムによって、在宅老人の救護、ガス漏れ対策、または消化活動を迅速かつ適確に行なうことができる。
【先行技術文献】
【特許文献】
【０００５】
【特許文献１】特開平３−２５４２６８号公報
【発明の概要】
【発明が解決しようとする課題】
【０００６】
しかしながら、特許文献１に記載のシステムでは、老人や病人が外出しているときに、事故にあった場合や、病状が悪化した場合に対応することができない。
【０００７】
それゆえに、本発明の目的は、老人や病人が外出時に事故にあった場合、または症状が悪化した場合に、迅速な救護ができるように支援する救護支援システム、およびそのようなシステムで利用される無線基地局、無線端末、および救護サービスセンタを提供することである。
【課題を解決するための手段】
【０００８】
上記課題を解決するために、本発明は、無線端末の所持者の異常発生時の救護活動を支援する救護支援システムで利用される無線基地局であって、無線端末からの信号に基づいて、無線端末の所持者が救護を要するか否かを判断する判断部と、救護を要すると判断された場合には、無線端末の所持者の救護の要請を救護サービスセンタへ通知する通知部とを備える。
【０００９】
好ましくは、判断部は、無線端末から一定の規則に従って送信されるように定められている信号が規則に従って送信されてこない場合に、無線端末の所持者が救護を要すると判断する。
【００１０】
好ましくは、判断部は、無線端末から加速度センサの加速度の値が所定値以上であることを表わす信号を受信した場合に、無線端末の所持者が救護を要すると判断する。
【００１１】
好ましくは、判断部は、無線端末から無線端末の所持者のバイタルサインの値が所定の範囲外であることを表わす信号を受信した場合に、無線端末の所持者が救護を要すると判断する。
【００１２】
好ましくは、無線基地局は、さらに、通信接続している無線端末の位置情報を取得する位置取得部と、取得した位置情報に基づいて、救護を要すると判断した無線端末の周囲に位置する他の無線端末を検索する検索部とを備え、通知部は、検索された他の無線端末を救護サービスセンタへ通知する。
【００１３】
好ましくは、無線基地局は、さらに、救護サービスセンタからの指示に基づいて、救護を要すると判断した無線端末へ救護を要するか否かを問合せる問合部を備え、通知部は、さらに、無線端末から救護を要求する旨の応答を受信したとき、または無線端末から所定時間内に応答を受信しない場合に、救護を要することを確認した旨を救護サービスセンタへ通知する。
【００１４】
本発明は、無線端末の所持者の異常発生時の救護活動を支援する救護支援システムで利用される無線端末であって、加速度センサーと、加速度センサーの加速度の値が所定値以上となった場合に、加速度の値が所定値以上であることを知らせる信号を無線基地局へ送信する異常通知部とを備える。
【００１５】
本発明は、無線端末の所持者の異常発生時の救護活動を支援する救護支援システムで利用される無線端末であって、バイタルサインの値を入力する入力部と、バイタルサインの値が所定の範囲外となった場合に、バイタルサインの値が所定の範囲外であることを知らせる信号を無線基地局へ送信する異常通知部とを備える。
【００１６】
好ましくは、無線端末は、さらに、無線基地局から救護を要するか否かの問合せを受信したときに、無線端末の所持者に応答を促す問合応答部と、救護を要するか否かの応答の入力を受付けるユーザ入力部とを備え、問合せ応答部は、ユーザ入力部を通じて無線端末の所持者が救護を要求する旨の応答を入力したときに、救護を要求する旨の応答を無線基地局へ送信する。
【００１７】
好ましくは、問合応答部は、ユーザ入力部を通じて無線端末の所持者が救護を要求する旨の応答を入力したとき、またはユーザ入力部を通じて無線端末の所持者から所定時間内に応答が入力されない場合に、無線端末の周囲に救護の要求を知らせる音声をスピーカーから出力させる。
【００１８】
本発明は、無線端末の所持者の異常発生時の救護活動を支援する救護支援システムで利用される救護サービスセンタであって、無線端末と、無線端末の所持者に関する緊急連絡先との対応を定めたテーブルを記憶する記憶部と、無線基地局から無線端末の所持者の救護要請を受信した場合に、テーブルを参照して無線端末に対応する緊急連絡先を特定する救護管理部と、特定された救急連絡先に救護の要請を通知する救護要請部とを備える。
【００１９】
本発明は、無線端末と、無線基地局と、救護サービスセンタとを含み、無線端末の所持者の異常発生時の救護活動を支援する救護支援システムであって、無線基地局は、無線端末からの信号に基づいて、無線端末の所持者が救護を要するか否かを判断する判断部と、救護を要すると判断された場合には、無線端末の所持者の救護の要請を救護サービスセンタへ通知する通知部とを備え、救護サービスセンタは、無線端末と、無線端末の所持者に関する緊急連絡先との対応を定めたテーブルを記憶する記憶部と、無線基地局から無線端末の所持者の救護要請を受信した場合に、テーブルを参照して無線端末に対応する緊急連絡先を特定する救護管理部と、特定された救急連絡先に救護の要請を通知する救護要請部とを備える。
【発明の効果】
【００２０】
本発明によれば、老人や病人が外出時に事故にあった場合、または症状が悪化した場合に、迅速な救護ができるように支援することができる。
【図面の簡単な説明】
【００２１】
【図１】本発明の実施形態の救護支援システムの構成を表わす図である。
【図２】本発明の第１の実施形態の無線端末の構成を表わす図である。
【図３】本発明の第１の実施形態の無線基地局の構成を表わす図である。
【図４】本発明の第１の実施形態の救護サービスセンタの構成を表わす図である。
【図５】サービステーブルを表わす図である。
【図６】本発明の第１の実施形態の緊急連絡先装置の構成を表わす図である。
【図７】本発明の第１の実施形態の救護支援システムのサービス開始手順を表わすフローチャートである。
【図８】（ａ）は、無線端末から送信されるサービス要求メッセージを表わす図である。（ｂ）は、無線基地局から送信されるサービス要求メッセージを表わす図である。（ｃ）は、許可を表わす応答メッセージを表わす図である。（ｄ）は、拒否を表わす応答メッセージを表わす図である。（ｅ）は、無線基地局から送信される許可メッセージを表わす図である。
【図９】本発明の第１の実施形態の無線端末による無線基地局への異常の通知手順を表わすフローチャートである。
【図１０】（ａ）は、加速度異常メッセージを表わす図である。（ｂ）は、血圧値異常メッセージを表わす図である。（ｃ）は、切断要求メッセージを表わす図である。（ｄ）は、位置情報メッセージを表わす図である。
【図１１】本発明の第１の実施形態の無線基地局による救護センタへの救護要請の通知手順を表わすフローチャートである。
【図１２】無線基地局から送信される救護要請メッセージを表わす図である。
【図１３】本発明の第１の実施形態の救護支援システムの図１１のステップＳ３０４の後の手順を表わすフローチャートである。
【図１４】救護サービスセンタから送信される救護要請メッセージを表わす図である。
【図１５】本発明の第２の実施形態の無線基地局の構成を表わす図である。
【図１６】本発明の第２の実施形態の救護サービスセンタの構成を表わす図である。
【図１７】本発明の第２の実施形態の救護支援システムの図１１のステップＳ３０４の後の別の手順を表わすフローチャートである。
【図１８】（ａ）は、周囲端末検索要求メッセージを表わす図である。（ｂ）は、周囲端末回答メッセージを表わす図である。（ｃ）は、救護サービスセンタから周囲の無線端末へ送信される救護要請メッセージを表わす図である。
【図１９】本発明の第３の実施形態の無線端末の構成を表わす図である。
【図２０】本発明の第３の実施形態の無線基地局の構成を表わす図である。
【図２１】本発明の第３の実施形態の救護サービスセンタの構成を表わす図である。
【図２２】本発明の第３の実施形態の救護支援システムの図１１のステップＳ３０４の後の別の手順を表わすフローチャートである。
【図２３】（ａ）は、救護サービスセンタから送信される救護問合メッセージを表わす図である。（ｂ）は、無線基地局から送信される救護問合メッセージを表わす図である。（ｃ）は、救護を要求する旨の応答を表わす回答メッセージを表わす図である。（ｄ）は、救護が不要である旨の応答を表わす回答メッセージを表わす図である。（ｅ）は、確認済救護要請メッセージを表わす図である。
【発明を実施するための形態】
【００２２】
以下、本発明の実施形態について図面を参照して説明する。
［第１の実施形態］
（救護支援システムの構成）
図１は、本発明の実施形態の救護支援システムの構成を表わす図である。
【００２３】
図１を参照して、この救護支援システム１は、複数の無線端末２−１〜２−４と、複数の無線基地局３−１〜３−４、複数の救護サービスセンタ４−１〜４−２、複数の緊急連絡先装置５−１〜５−６とからなる。以下では、無線端末２−１〜２−４を代表して無線端末２と表わす。無線基地局３−１〜３−４を代表して無線基地局３と表わす。救護サービスセンタ４−１〜４−２を代表して救護サービスセンタ４と表わす。緊急連絡先装置５−１〜５−６を代表して緊急連絡先装置５と表わす。
【００２４】
１つの無線基地局３は、１個以上の無線端末２と通信接続し、１つの救護サービスセンタ４と通信接続する。１つの救護サービスセンタ４は、１個以上の無線基地局３と通信接続し、１個以上の緊急連絡先装置５と通信接続する。
【００２５】
（無線端末の構成）
図２は、本発明の第１の実施形態の無線端末の構成を表わす図である。
【００２６】
図２を参照して、この無線端末２は、通信部１０と、制御部１１と、メモリ１７と、液晶ディスプレイ１２と、スピーカー１３と、加速度センサー１４と、バイタルサイン入力部１５と、ユーザ入力部１６とを備える。
【００２７】
通信部１０は、無線基地局３との間で無線通信を行なう。
メモリ１７は、各種のデータを記憶する。
【００２８】
液晶ディスプレイ１２は、画像を表示する。
スピーカー１３は、音声を出力する。
【００２９】
加速度センサー１４は、加速度を検出する。
バイタルサイン入力部１５は、無線端末２の所持者の血圧を測定する血圧計と接続され、血圧計からの血圧値を入力する。
【００３０】
ユーザ入力部１６は、操作ボタンおよびタッチパネルからなり、ユーザからの指示を受付ける。
【００３１】
制御部１１は、通信接続制御部１８と、サービス要求部１９と、位置通知部２０と、異常通知部２１とを備える。
【００３２】
通信接続制御部１８は、無線基地局３の通信接続制御部２６との間で所定の手順に従って通信接続処理を行なう。
【００３３】
サービス要求部１９は、サービス要求メッセージを無線基地局３へ送信する。サービス要求部１９は、無線基地局３から許可メッセージを受信した場合に、サービスを開始する
位置通知部２０は、一定の周期で位置情報を表わす位置情報メッセージを無線基地局３へ送信する。
【００３４】
異常通知部２１は、加速度センサー１４で測定された加速度が所定値以上となった場合に、加速度が所定値以上であることを表わす加速度異常メッセージを無線基地局３へ送信する。また、異常通知部２１は、バイタルサイン入力部１５から入力される血圧値が所定の範囲外（たとえば、高血圧異常である１３０以上、または低血圧異常である９０未満）となった場合に血圧値が所定の範囲外であることを表わす血圧値異常メッセージを無線基地局３へ送信する。
【００３５】
（無線基地局の構成）
図３は、本発明の第１の実施形態の無線基地局の構成を表わす図である。
【００３６】
図３を参照して、この無線基地局３は、通信部２３と、メモリ２５と、制御部２４とを備える。
【００３７】
通信部２３は、無線端末２との間で無線通信を行なう。また、通信部２３は、救護サービスセンタ４との間で有線の電話網を介した通信を行なう。
【００３８】
メモリ２５は、各種のデータを記憶する。
制御部２４は、通信接続制御部２６と、サービス要求制御部２７と、判断部５１と、救護通知部２８と、位置取得部３０とを備える。
【００３９】
通信接続制御部２６は、無線端末２の通信接続制御部１８との間で所定の手順に従って通信接続処理を行なう。
【００４０】
サービス要求制御部２７は、無線端末２からサービス要求メッセージを受信し、サービス要求メッセージを救護サービスセンタ４へ送信する。サービス要求制御部２７は、救護サービスセンタ４からサービスの許可を表わす応答メッセージを受信した場合には、無線端末２へサービス許可メッセージを送信する。
【００４１】
判断部５１は、加速度異常メッセージを受信した場合、血圧異常メッセージを受信した場合、または一定周期ごとに無線端末２から送られてくる位置情報メッセージを一定周期内に受信しなかった場合には、無線端末２の所持者が救護を要すると判断する。
【００４２】
救護通知部２８は、無線端末２の所持者が救護を要すると判断された場合に、救護要請メッセージを救護サービスセンタ４へ送信する。
【００４３】
位置取得部３０は、通信接続している複数の無線端末２から位置情報を受信し、メモリに記憶する。
【００４４】
（救護サービスセンタの構成）
図４は、本発明の第１の実施形態の救護サービスセンタの構成を表わす図である。
【００４５】
図４を参照して、この救護サービスセンタ４は、通信部３２と、メモリ２４と、制御部３３とを備える。
【００４６】
通信部３２は、緊急連絡先装置５との間で有線の電話網を介した通信を行なう。また、通信部３２は、無線基地局３との間で有線の電話網を介した通信を行なう。
【００４７】
メモリ２４は、各種のデータを記憶する。
制御部３３は、サービス管理部３５と、救護管理部５２と、救護要請部３６とを備える。
【００４８】
サービス管理部３５は、サービス要求メッセージを送信した無線端末２の所持者が図５のサービステーブルに無線端末２アドレスが登録されている場合には、許可に設定した応答メッセージを送信し、登録されていない場合には、拒否に設定した応答メッセージを送信する。
【００４９】
図５のサービステーブルは、サービスに加入している無線端末２のアドレスと、無線端末２の所持者情報（住所、氏名、血液型、写真、年齢、性別、身長、体重などの情報）、緊急連絡先アドレスが登録されている。
【００５０】
救護管理部５２は、無線基地局３から救護要請メッセージを受信する。
救護要請部３６は、無線基地局３から救護要請メッセージを受信した場合に、救護要請メッセージを緊急連絡先装置５へ送信する。
【００５１】
（緊急連絡先装置の構成）
図６は、本発明の第１の実施形態の緊急連絡先装置の構成を表わす図である。
【００５２】
図６を参照して、この緊急連絡先装置５は、通信部３９と、制御部４０と、メモリ４４と、液晶ディスプレイ４１と、スピーカー４２とを備える。
【００５３】
通信部３９は、救護サービスセンタ４との間で有線の電話網を介した通信を行なう。
メモリ４４は、各種のデータを記憶する。
【００５４】
液晶ディスプレイ４１は、画像を表示する。
スピーカー４２は、音声を出力する。
【００５５】
制御部４０は、救護要請受付部４５を備える。
救護要求受付部４５は、救護要請メッセージを受信すると、受信した救護要請メッセージに含まれる無線端末２の所持者情報を表示する。
【００５６】
（サービス開始動作）
図７は、本発明の第１の実施形態の救護支援システムのサービス開始手順を表わすフローチャートである。
【００５７】
図７を参照して、まず、無線端末２が起動する（ステップＳ１０１）。
次に、無線端末２の通信接続制御部１８と、無線基地局３の通信接続制御部２６との間で所定の手順に従って通信接続処理が行なわれる（ステップＳ１０２、Ｓ１０３）。
【００５８】
次に、無線端末２のユーザ入力部１６は、サービス開始の要求が入力（たとえば、特定のボタンの押し下げ）を受付ける（ステップＳ１０４）。
【００５９】
無線端末２のサービス要求部１９は、図８（ａ）に示すようなサービス要求メッセージを無線基地局３へ送信する（ステップＳ１０５）。
【００６０】
次に、無線基地局３のサービス要求制御部２７は、無線端末２から図８（ａ）に示すようなサービス要求メッセージを受信する（ステップＳ１０６）。
【００６１】
次に、無線基地局３のサービス要求制御部２７は、図８（ｂ）に示すようなサービス要求メッセージを救護サービスセンタ４へ送信する（ステップＳ１０７）。
【００６２】
次に、救護サービスセンタ４のサービス管理部３５は、無線基地局３から図８（ｂ）に示すようなサービス要求メッセージを受信する（ステップＳ１０８）。
【００６３】
次に、救護サービスセンタ４のサービス管理部３５は、図５のサービステーブルを参照して、サービス要求メッセージを送信した無線端末２の所持者がサービスの加入者である場合、すなわち、図５のサービステーブルに無線端末アドレスが登録されている場合には（ステップＳ１０９でＹＥＳ）、図８（ｃ）に示すように応答メッセージを許可に設定し（ステップＳ１１０）、サービスを開始する（ステップＳ１１１）。
【００６４】
一方、救護サービスセンタ４のサービス管理部３５は、サービス要求メッセージを送信した無線端末２の所持者がサービスの加入者でない場合には（ステップＳ１０９でＮＯ）、図８（ｄ）に示すように応答メッセージを拒否に設定する（ステップＳ１１２）。
【００６５】
次に、救護サービスセンタ４のサービス管理部３５は、図８（ｃ）または図８（ｄ）に示すように応答メッセージを無線基地局３へ送信する（ステップＳ１１３）。
【００６６】
次に、無線基地局３のサービス要求制御部２７は、図８（ｃ）または図８（ｄ）に示すような応答メッセージを受信する（ステップＳ１１４）。
【００６７】
次に、無線基地局３のサービス要求制御部２７は、図８（ｃ）に示すような許可を表わす応答メッセージを受信した場合には（ステップＳ１１５でＹＥＳ）、無線端末２へ図８（ｅ）に示すような許可メッセージを送信し（ステップＳ１１７）、サービスを開始する（ステップＳ１１９）。
【００６８】
一方、無線基地局３の通信接続制御部２６は、図８（ｄ）に示すような拒否を表わす応答メッセージを受信した場合には（ステップＳ１１５でＮＯ）、無線端末２との通信接続を切断する（ステップＳ１１６）。
【００６９】
次に、無線端末２のサービス要求部１９は、無線基地局３から図８（ｃ）に示すような許可メッセージを受信した場合には（ステップＳ１１９でＹＥＳ）、サービスを開始する（ステップＳ１２０）。
【００７０】
（無線端末の異常の通知動作）
図９は、本発明の第１の実施形態の無線端末による無線基地局への異常の通知手順を表わすフローチャートである。
【００７１】
図９を参照して、まず、異常通知部２１は、加速度センサー１４で測定された加速度が所定値以上となった場合に（ステップＳ２０１でＹＥＳ）、図１０（ａ）に示すような加速度が所定値以上であることを表わす加速度異常メッセージを無線基地局３へ送信する（ステップＳ２０２）。
【００７２】
一方、異常通知部２１は、バイタルサイン入力部１５から入力される血圧値が所定の範囲外となった場合に（ステップＳ２０３でＹＥＳ）、図１０（ｂ）に示すような血圧値が所定の範囲外であることを表わす血圧値異常メッセージを無線基地局３へ送信する（ステップＳ２０９）。
【００７３】
一方、通信接続制御部１８は、電池の電圧が所定値以下となった場合に（ステップＳ２０４でＹＥＳ）、図１０（ｃ）に示すような切断要求メッセージを無線基地局３へ送信する（ステップＳ２０５）。
【００７４】
一方、通信接続制御部１８は、受信レベルが所定値以下となった場合に（ステップＳ２０６でＹＥＳ）、図１０（ｃ）に示すような切断要求メッセージを無線基地局３へ送信する（ステップＳ２０５）。
【００７５】
一方、位置通知部２０は、一定周期ごとに（ステップＳ２０７でＹＥＳ）、図１０（ｄ）に示すような位置情報を表わす位置情報メッセージを無線基地局３へ送信する（ステップＳ２０８）。
【００７６】
（救護要請の通知動作）
図１１は、本発明の第１の実施形態の無線基地局による救護センタへの救護要請の通知手順を表わすフローチャートである。
【００７７】
通信接続制御部２６は、無線端末２から図１０（ｃ）に示すような切断要求メッセージを受信した場合に（ステップＳ３０１でＹＥＳ）、そのメッセージを送信した無線端末２との通信接続を切断する（ステップＳ３０２）。
【００７８】
一方、判断部５１は、無線端末２から図１０（ａ）に示すような加速度異常メッセージを受信した場合に（ステップＳ３０３でＹＥＳ）、無線端末２の所持者が救護を要すると判断する。救護通知部２８は、図１２に示すような、無線端末アドレス、救助要請、無線端末の位置情報、現在の時刻を含む救護要請メッセージを救護サービスセンタ４へ送信する。無線端末２の位置情報は、位置取得部３０で最新に取得されメモリ２５に記憶されているものを用いる（ステップＳ３０４）。
【００７９】
一方、判断部５１は、無線端末２から図１０（ｂ）に示すような血圧異常メッセージを受信した場合に（ステップＳ３０５でＹＥＳ）、無線端末２の所持者が救護を要すると判断する。救護通知部２８は、図１２に示すような救護メッセージを救護サービスセンタ４へ送信する（ステップＳ３０４）。
【００８０】
一方、判断部５１は、一定周期ごとに無線端末２から送られてくる図１０（ｄ）に示すような位置情報メッセージを一定周期ごとに受信しなかった場合には（ステップＳ３０６でＹＥＳ）、無線端末２の所持者が救護を要すると判断する。救護通知部２８は、図１２に示すような救護要請メッセージを救護サービスセンタ４へ送信する（ステップＳ３０４）。
【００８１】
一方、位置取得部３０は、図１０（ｄ）に示すような位置情報メッセージを受信した場合には（ステップＳ３０６でＮＯ）、位置情報メッセージに含まれる無線端末２の位置情報をメモリ２５に記憶する（ステップＳ３０７）。
【００８２】
（Ｓ３０４後の動作）
図１３は、本発明の第１の実施形態の救護支援システムの図１１のステップＳ３０４の後の手順を表わすフローチャートである。
【００８３】
図１３を参照して、無線基地局３の救護通知部２８は、図１２に示すような救護要請メッセージを救護サービスセンタ４へ送信する（ステップＳ４０１（＝Ｓ３０４））。
【００８４】
次に、救護サービスセンタ４の救護管理部５２は、無線基地局３から図１２に示すような救護要請メッセージを受信する（ステップＳ４０２）。
【００８５】
次に、救護サービスセンタ４の救護要請部３６は、図１４に示すような救護要請メッセージを緊急連絡先装置５へ送信する。ここで、救護要請メッセージに含まれる緊急連絡先アドレスおよび無線端末所持者情報は、無線基地局３から受信した救護要請メッセージに含まれる無線端末アドレスに対応するものを図５に示すサービステーブルから読み出したものである。救護要請メッセージに含まれる無線端末２の位置情報および時刻は、無線基地局３から受信した救護要請メッセージに含まれるものが用いられる（ステップＳ４０３）。
【００８６】
次に、緊急連絡先装置５の救護要請受付部４５は、図１４に示すような救護要請メッセージを受信する。さらに、救護要請受付部４５は、受信した救護要請メッセージに含まれる無線端末所持者情報を表示する（ステップＳ４０４）。
【００８７】
以上のように、本発明の第１の実施形態によれば、無線端末の加速度が所定値以上となった場合、無線端末の所持者の血圧値が所定の範囲外となった場合、または一定周期で送信される位置情報を無線基地局で受信できなくなった場合に、無線端末の所持者の緊急連絡先に救護が要請されるので、無線端末の所持者の迅速な救護が可能となる。
【００８８】
［第２の実施形態］
（無線基地局）
図１５は、本発明の第２の実施形態の無線基地局の構成を表わす図である。
【００８９】
図１５の無線基地局が図３の第１の実施形態の無線基地局と相違する点は、図１５の無線基地局が、周囲端末検索部２９を備える点である。
【００９０】
周囲端末検索部２９は、救護サービスセンタ４から周囲端末検索要求メッセージを受信すると、メモリ２５内の位置情報を検索して、救護を要すると判断した無線端末２の周囲に位置する他の無線端末を検索する。周囲端末検索部２９は、検索した周囲の無線端末のアドレスを表わす周囲端末回答メッセージを救護サービスセンタ４へ送信する。
【００９１】
（救護サービスセンタ）
図１６は、本発明の第２の実施形態の救護サービスセンタの構成を表わす図である。
【００９２】
図１６の救護サービスセンタが図４の第１の実施形態の救護サービスセンタと相違する点は、図１６の救護サービスセンタが、周囲端末情報要求部３７を備える点と、救護要請部３６の救護要請メッセージの送信先が相違する点である。
【００９３】
周囲端末情報要求部３７は、周囲端末検索要求メッセージを無線基地局３へ送信し、無線基地局３から周囲端末回答メッセージを受信する。
【００９４】
救護要請部３６は、救護要請メッセージを検索された周囲端末へ送信する。
（Ｓ３０４後の動作）
図１７は、本発明の第２の実施形態の救護支援システムの図１１のステップＳ３０４の後の別の手順を表わすフローチャートである。
【００９５】
図１７を参照して、無線基地局３の救護通知部２８は、図１２に示すような救護要請メッセージを救護サービスセンタ４へ送信する（ステップＳ５０１（＝Ｓ３０４））。
【００９６】
次に、救護サービスセンタ４の救護管理部５２は、無線基地局３から図１２に示すような救護要請メッセージを受信する（ステップＳ５０２）。
【００９７】
次に、救護サービスセンタ４の周囲端末情報要求部３７は、図１８（ａ）に示すような周囲端末検索要求メッセージを無線基地局３へ送信する（ステップＳ５０３）。
【００９８】
次に、無線基地局３の周囲端末検索部２９は、救護サービスセンタ４から図１８（ａ）に示すような周囲端末検索要求メッセージを受信する（ステップＳ５０４）。
【００９９】
次に、無線基地局３の周囲端末検索部２９は、メモリ２５内の位置情報を検索して、救護を要すると判断した無線端末２の周囲に位置する他の無線端末を検索する（ステップＳ５０５）。
【０１００】
次に、無線基地局３の周囲端末検索部２９は、図１８（ｂ）に示すような検索されたＮ個（Ｎは１以上の自然数）の周囲の無線端末２のアドレスを表わす周囲端末回答メッセージを救護サービスセンタ４へ送信する（ステップＳ５０６）。
【０１０１】
次に、救護サービスセンタ４の周囲端末情報要求部３７は、無線基地局３から図１８（ｂ）に示すような周囲端末回答メッセージを受信する（ステップＳ５０７）。
【０１０２】
次に、救護サービスセンタ４の救護要請部３６は、図１８（ｃ）に示すような救護要請メッセージを周囲端末（無線端末Ｂとする）へ送信する（ステップＳ５０８）。
【０１０３】
次に、周囲端末（無線端末Ｂ）の救護要請受付部４５は、図１８（ｃ）に示すような救護要請メッセージを受信する。さらに、救護要請受付部４５は、受信した救護要請メッセージに含まれる救護者情報を表示する（ステップＳ５０９）。
【０１０４】
（まとめ）
以上のように、本発明の第２の実施形態によれば、救護対象の無線端末の周囲の無線端末に対して、救護要請が送られるので、迅速な救護が可能となる。
【０１０５】
［第３の実施形態］
（無線端末）
図１９は、本発明の第３の実施形態の無線端末の構成を表わす図である。
【０１０６】
図１９の無線端末が図３の第１の実施形態の無線端末と相違する点は、図１９の無線端末が、救護問合応答部２２を備える点である。
【０１０７】
救護問合応答部２２は、無線基地局３から救護問合メッセージを受信すると、無線端末２の所持者に救護問合があったことを知らせる音声をスピーカー１３から出力させる。さらに、救護問合応答部２２は、ユーザ入力部１６を通じて、無線端末２の所持者から救護を要求する旨の入力があった場合、救護を要求する旨の応答を表わす回答メッセージを無線基地局３へ送信する。また、救護問合応答部２２は、ユーザ入力部１６を通じて、無線端末２の所持者から救護が不要である旨の入力があった場合には救護が不要である旨の応答を表わす回答メッセージを無線基地局３へ送信する。さらに、異常問合応答部は、ユーザ入力部１６を通じて、無線端末２の所持者から救護を要求する旨の入力があった場合、またはユーザ入力部１６を通じて無線端末２の所持者から所定時間内に何も応答が入力されない場合には、救護を要請することを周囲に知らせるための音声を最大音量でスピーカー１３から出力させる。
【０１０８】
（無線基地局）
図２０は、本発明の第３の実施形態の無線基地局の構成を表わす図である。
【０１０９】
図２０の無線基地局が図３の第１の実施形態の無線基地局と相違する点は、図２０の無線基地局が、救護問合部３１を備える点と、救護通知部２８が救護要請メッセージに加えて、確認済救護要請メッセージを送信する点である。
【０１１０】
救護問合部３１は、救護サービスセンタ４から救護問合メッセージを受信すると、救護問合メッセージを無線端末２へ送信する。
【０１１１】
救護通知部２８は、無線端末２から救護を要求する旨の応答を表わす回答メッセージを受信した場合、または無線端末２から所定時間内に回答メッセージを受信しない場合に、救護を要することを確認したことを表わす確認済救護要請メッセージを救護サービスセンタ４へ送信する。
【０１１２】
（救護サービスセンタ）
図２１は、本発明の第３の実施形態の救護サービスセンタの構成を表わす図である。
【０１１３】
図２１の救護サービスセンタが図４の第１の実施形態の救護サービスセンタと相違する点は、図２１の救護サービスセンタが救護問合部３８を備える点と、救護管理部５２が受信するメッセージである。
【０１１４】
救護問合部３８は、救護問合メッセージを無線基地局３へ送信する。
救護管理部５２は、無線基地局３から救護要請メッセージに加えて、確認済救護要請メッセージを受信する。
【０１１５】
（Ｓ３０４後の動作）
図２２は、本発明の第３の実施形態の救護支援システムの図１１のステップＳ３０４の後の別の手順を表わすフローチャートである。
【０１１６】
図２２を参照して、無線基地局３の救護通知部２８は、図１２に示すような救護要請メッセージを救護サービスセンタ４へ送信する（ステップＳ６０１（＝Ｓ３０４））。
【０１１７】
次に、救護サービスセンタ４の救護管理部５２は、無線基地局３から図１２に示すような救護要請メッセージを受信する（ステップＳ６０２）。
【０１１８】
次に、救護サービスセンタ４の救護問合部３８は、図２３（ａ）に示すような救護問合メッセージを無線基地局３へ送信する（ステップＳ６０３）。
【０１１９】
次に、無線基地局３の救護問合部３１は、救護サービスセンタ４から図２３（ａ）に示すような救護問合メッセージを受信する（ステップＳ６０４）。
【０１２０】
次に、無線基地局３の救護問合部３１は、図２３（ｂ）に示すような救護問合メッセージを無線端末２へ送信する（ステップＳ６０５）。
【０１２１】
次に、無線端末２の救護問合応答部２２は、無線基地局３から図２３（ｂ）に示すような救護問合メッセージを受信する（ステップＳ６０６）。
【０１２２】
無線端末２の救護問合応答部２２は、無線端末２の所持者に救護問合があったことを知らせる音声をスピーカー１３から出力させる（ステップＳ６０６）。
【０１２３】
無線端末２の救護問合応答部２２は、ユーザ入力部１６を通じて、無線端末２の所持者から救護を要求する旨の入力があった場合（たとえば、特定のボタンの押下げ）、または救護が不要である旨の入力（たとえば、別の特定のボタンの押下げ）があった場合、（ステップＳ６０８でＹＥＳ）、図２３（ｃ）に示すような救護を要求する旨の応答を表わす回答メッセージ、または図２３（ｄ）に示すような救護が不要である旨の応答を表わす回答メッセージを無線基地局３へ送信する（ステップＳ６０９）。
【０１２４】
無線端末２の異常問合応答部は、ユーザ入力部１６を通じて、無線端末２の所持者から救護を要求する旨の入力があった場合、またはユーザ入力部１６を通じて、無線端末２の所持者から所定時間内に何も応答が入力されない場合には（ステップＳ６１０でＹＥＳ）、救護を要請することを知らせる音声をスピーカー１３から出力させる（ステップＳ６１１）。
【０１２５】
無線基地局３の救護通知部２８は、無線端末２から図２３（ｃ）に示すような救護を要求する旨の応答を表わす回答メッセージを受信した場合、または無線端末２から所定時間内に回答メッセージを受信しない場合に（ステップＳ６１２でＹＥＳ）、図２３（ｅ）に示すような救護を要することを確認したことを表わす確認済救護要請メッセージを救護サービスセンタ４へ送信する（ステップＳ６１３）。
【０１２６】
次に、救護サービスセンタ４の救護管理部５２は、無線基地局３から図２３（ｅ）に示すような確認済救護要請メッセージを受信する（ステップＳ６１４）。
【０１２７】
次に、救護サービスセンタ４の救護要請部３６は、図１４に示すような救護要請メッセージを緊急連絡先装置５へ送信する（ステップＳ６１５）。
【０１２８】
次に、緊急連絡先装置５の救護要請受付部４５は、図１４に示すような救護要請メッセージを受信する。さらに、救護要請受付部４５は、受信した救護要請メッセージに含まれる救護者情報を表示する（ステップＳ６１６）。
（まとめ）
以上のように、本発明の第３の実施形態によれば、救護要請があった場合に、無線端末に対して、救護を要求するのかどうかを問合せるので、誤った救護の要請がなされるのを防止することができる。
【０１２９】
（変形例）
本発明は、上記の実施形態に限定されるものではなく、たとえば以下のような変形例も含まれる。
【０１３０】
（１）  バイタルサイン
本発明の実施形態では、バイタルサインとして血圧値を用いたが、これに限定するものではなく、体温、心拍数、呼吸数などであってもよい。
【０１３１】
（２）  位置情報の取得
本発明の実施形態では、無線基地局は、通信接続している無線端末から一定時間ごとに送信される位置情報を受信するものとしたが、これに限定するものではない。無線基地局は、通信事業者に無線端末の位置情報の送信を要求するようにしてもよい。
【０１３２】
（３）  位置情報の送信
本発明の実施形態では、無線端末が、一定の周期で位置情報を表わす位置情報メッセージを無線基地局へ送信するものとしたが。これに限定するものではない。たとえば、無線端末は、無線端末の所持者に異常がないことを知らせるメッセージを一定の周期で送信するものとしてもよい。また、一定の周期でメッセージを送信する代りに、定められた時間にメッセージを送信するものとしてもよい。
【０１３３】
（４）  音声メッセージ
本発明の実施形態では、各装置間で、宛先のアドレスにメッセージデータをやりとりするものとして説明したが、これに限定するものではない。宛先の電話番号を発呼するものとしてもよい。たとえば、救護サービスセンタは、緊急連絡先の電話番号に発呼して、音声の救護メッセージを送信するものとしてもよい。
【０１３４】
（５）  緊急連絡先
本発明の実施形態では、救護サービスセンタは、無線端末の所持者ごとに緊急連絡先（身内、病院、介護施設）を特定して、特定した緊急連絡先に救護を要請するものとしたが、これに限定するものではない。たとえば、救護サービスセンタは、無線端末の所持者が誰であっても、常に消防署に救護を要請するものとしてもよい。
【０１３５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１３６】
１  救護支援システム、２，２−１〜２−４  無線端末、３，３−１〜３−４  無線基地局、４，４−１〜４−２  救護サービスセンタ、５，５−１〜５−６  緊急連絡先装置、１０，２３，３２，３９  通信部、１１，２４，３３，４０  制御部、１２，４１  液晶ディスプレイ、１３，４２  スピーカー、１４  加速度センサー、１５  バイタルサイン入力部、１６  ユーザ入力部、１７，２５，３４，４４  メモリ、１８，２６  通信接続制御部、１９  サービス要求部、２０  位置通知部、２１  異常通知部、２２  救護問合応答部、２７  サービス要求制御部、２８  救護通知部、２９  周囲端末検索部、３０  位置取得部、３１，３８  救護問合部、３５  サービス管理部、３６  救護要請部、３７  周囲端末情報要求部、４５  救護要請受付部、５１  判断部、５２  救護管理部。
【図１】
0005503254.tif 000002
【図２】
0005503254.tif 000003
【図３】
0005503254.tif 000004
【図４】
0005503254.tif 000005
【図５】
0005503254.tif 000006
【図６】
0005503254.tif 000007
【図７】
0005503254.tif 000008
【図８】
0005503254.tif 000009
【図９】
0005503254.tif 000010
【図１０】
0005503254.tif 000011
【図１１】
0005503254.tif 000012
【図１２】
0005503254.tif 000013
【図１３】
0005503254.tif 000014
【図１４】
0005503254.tif 000015
【図１５】
0005503254.tif 000016
【図１６】
0005503254.tif 000017
【図１７】
0005503254.tif 000018
【図１８】
0005503254.tif 000019
【図１９】
0005503254.tif 000020
【図２０】
0005503254.tif 000021
【図２１】
0005503254.tif 000022
【図２２】
0005503254.tif 000023
【図２３】
0005503254.tif 000024